(57)【要約】      （修正有）【課題】回路基板の強度を低下させることなく、耐圧試験のための配線パターンを配線すること。【解決手段】画像形成装置はインターロック電源または外部電源から動作電圧を供給されているときにスイッチをＯＮに制御するスイッチ駆動回路と、外部電源に接続されるインターフェースと、インターフェースとスイッチ駆動回路とを接続する第一パターン２５と、非インターロック電源と接続された第二パターンＰ２、Ｐ４と、第一パターン２５に設けられた定電圧素子ＺＤとを有する。定電圧素子ＺＤは、第一パターン２５と第二パターンＰ２、Ｐ４との距離が所定の絶縁条件を満たす第一区間７１と、第一パターン２５と第二パターンＰ２、Ｐ４との距離が所定の絶縁条件を満たしていない第二区間７２との間に設けられる。【選択図】図４
2020106624.tif 000002
【特許請求の範囲】
【請求項１】
交流電源から交流電圧を入力されるか、または、試験電源から試験電圧を入力される入力部と、
前記入力部と画像形成に関与する交流負荷とを接続する電源ラインと、
前記電源ラインに設けられたスイッチと、
前記交流電源が交流電圧を供給しており、かつ、インターロック条件が満たされている場合に電圧の供給を停止し、前記交流電源が交流電圧を供給しており、かつ、前記インターロック条件が満たされていない場合に電圧を供給するインターロック電源と、
前記交流電源が交流電圧を供給している場合に、前記インターロック条件に依存することなく、電圧を供給する非インターロック電源と、
外部電源が接続されるインターフェースと、
前記インターロック電源からの電圧が供給されている状態で所定のスイッチオン信号により、または前記インターロック電源からの電圧が供給されていない状態で前記外部電源から動作電圧を供給されることにより、前記スイッチをＯＮにするスイッチ駆動回路と、
前記インターフェースと前記スイッチ駆動回路とを接続する第一配線パターンと、
前記非インターロック電源と接続された第二配線パターンと、
前記第一配線パターンに設けられた定電圧素子と、を有し、
前記定電圧素子は、前記第一配線パターンと前記第二配線パターンとの距離が所定の絶縁条件を満たす第一区間と、前記第一配線パターンと前記第二配線パターンとの距離が前記所定の絶縁条件を満たしていない第二区間との間に設けられていることを特徴とする画像形成装置。
【請求項２】
前記定電圧素子は、定電圧ダイオードであることを特徴とする請求項１に記載の画像形成装置。
【請求項３】
前記定電圧ダイオードは、ツェナーダイオードであることを特徴とする請求項２に記載の画像形成装置。
【請求項４】
前記ツェナーダイオードのアノードは前記第一配線パターンの前記第一区間に接続されており、前記ツェナーダイオードのカソードは前記第一配線パターンの前記第二区間に接続されていることを特徴とする請求項３に記載の画像形成装置。
【請求項５】
前記定電圧素子は、直列に接続された複数の定電圧ダイオードであることを特徴とする請求項１に記載の画像形成装置。
【請求項６】
前記複数の定電圧ダイオードは、複数のツェナーダイオードであることを特徴とする請求項５に記載の画像形成装置。
【請求項７】
前記複数のツェナーダイオードのうち第一ツェナーダイオードのアノードは前記第一配線パターンの前記第一区間に接続されており、
前記複数のツェナーダイオードのうち第二ツェナーダイオードのカソードは前記第一配線パターンの前記第二区間に接続されていることを特徴とする請求項６に記載の画像形成装置。
【請求項８】
前記画像形成装置の耐圧試験の際には、前記入力部に前記交流電源は接続されずに、前記試験電源が接続され、かつ、前記インターフェースに前記外部電源が接続され、
前記外部電源から供給される電圧は、前記定電圧素子により実現される定電圧と前記スイッチをＯＮにするために必要となる動作電圧との和以上であることを特徴とする請求項１ないし７のいずれか一項に記載の画像形成装置。
【請求項９】
前記定電圧素子の定電圧は、前記第二配線パターンに印加されている電圧が前記第一配線パターンに印加されたとしても前記スイッチがＯＮにならない電圧であることを特徴とする請求項１ないし８のいずれか一項に記載の画像形成装置。
【請求項１０】
前記第二配線パターンに印加されている電圧と前記定電圧素子の定電圧との差は前記スイッチをＯＦＦにするために必要となる電圧よりも低く、かつ、前記外部電源から供給される電圧と前記定電圧素子の定電圧との差は前記スイッチをＯＮにするために必要となる電圧以上であることを特徴とする請求項１ないし９のいずれか一項に記載の画像形成装置。
【請求項１１】
前記スイッチは、リレーまたは半導体スイッチであることを特徴とする請求項１ないし１０のいずれか一項に記載の画像形成装置。
【請求項１２】
前記交流負荷は、定着装置のヒーターであることを特徴とする請求項１ないし１１のいずれか一項に記載の画像形成装置。
【請求項１３】
前記画像形成装置をメンテナンスする際に開かれるメンテナンスドアをさらに有し、
前記インターロック条件は、前記メンテナンスドアが開いていることであることを特徴とする請求項１ないし１２のいずれか一項に記載の画像形成装置。
【請求項１４】
前記外部電源から供給された前記動作電圧が前記インターロック電源に印加されることを規制する規制素子をさらに有することを特徴とする請求項１ないし１３のいずれか一項に記載の画像形成装置。
【請求項１５】
交流電源から交流電圧を入力されるか、または、試験電源から試験電圧を入力される入力手段と、
前記入力手段と画像形成に関与する交流負荷とを接続する電源ラインと、
前記電源ラインに設けられ、前記入力手段と前記交流負荷とを接続する接続状態と、前記入力手段と前記交流負荷とを遮断する遮断状態とを切り替える切替手段と、
前記交流電源が交流電圧を供給しており、かつ、インターロック条件が満たされている場合に電圧の供給を停止し、前記交流電源が交流電圧を供給しており、かつ、前記インターロック条件が満たされていない場合に電圧を供給する第一電源と、
前記交流電源が交流電圧を供給している場合に、前記インターロック条件に依存することなく、電圧を供給する第二電源と、
外部電源が接続される接続手段と、
前記第一電源または前記外部電源から動作電圧を供給されているときに前記切替手段を前記接続状態にするスイッチ駆動手段と、
前記接続手段と前記スイッチ駆動手段とを接続する第一配線と、
前記第二電源と接続された第二配線と、
前記第一配線に設けられた定電圧手段と、を有し、
前記定電圧手段は、前記第一配線と前記第二配線との距離が所定の絶縁条件を満たす第一区間と、前記第一配線と前記第二配線との距離が前記所定の絶縁条件を満たしていない第二区間との間に設けられていることを特徴とする画像形成装置。
【発明の詳細な説明】
【技術分野】
【０００１】
本発明は画像形成装置に関する。
【背景技術】
【０００２】
画像形成装置の組立工程では、安全規格上の強化絶縁が確保されているかどうかを確認するための耐圧試験が実行される。その際に、耐圧試験のための試験電圧がＡＣ入力部（電源プラグなど）に印加される。ＡＣ入力部と交流負荷とを結ぶ電源ラインにはインターロックのためのリレーが設けられているため、耐圧試験ための橋絡抵抗がリレー取り付けられている。これにより、試験電圧が橋絡抵抗を介して定着ヒーターなどの交流負荷に印加される。
【０００３】
ところで、安全規格の改定により、橋絡抵抗を削除することが必要になった。つまり、外部電源からの駆動電圧を入力できるようにし、この駆動電圧をリレーに印加することでリレーをＯＮにし、リレーを介して試験電圧を交流負荷に印加することが必要になった。回路基板には外部電源と接続されるインターフェースと、インターフェースと駆動回路とを接続する配線パターンとが実装される。回路基板にはインターロック電源に接続された配線パターンと非インターロック電源に接続された配線パターンとが存在するが、これらの配線パターン間には安全規格により定められた距離が確保されなければならない。なお、安全規格上、インターフェースと駆動回路とを接続する配線パターンは、インターロック電源に接続された配線パターンと同様に取り扱われる。特許文献１によれば、基板サイズを拡大して絶縁距離を確保する代わりに、隣接した配線パターン間にスリットを設けることが提案さている。
【先行技術文献】
【特許文献】
【０００４】
【特許文献１】特開２０１１−８２２９６号公報
【発明の概要】
【発明が解決しようとする課題】
【０００５】
改訂された安全規格を満たすための回路基板の設計変更を少なくできれば、画像形成装置の設計時間の短縮と製造コストの削減が達成されるだろう。つまり、回路基板上の既存の配線パターンをできる限り変更することなく、耐圧試験のための配線パターンを追加できることが求められる。既存の二つの配線パターンの間の距離が安全規格上の距離に設計されている場合、その間に、耐圧試験のための配線パターンが追加されると、安全規格上の距離が不足する。安全規格上の距離を確保するために特許文献１のようなスリットが設けられと、回路基板の強度が低下したり、半田クラックを生じたりする。安全規格上の距離を確保するために回路基板のサイズを大きくすると、装置の大型化に伴う設計時間の増加と製造コストの上昇が生じてしまう。そこで、本発明は、回路基板の強度を低下させることなく、耐圧試験のための配線パターンを配線することを目的とする。
【課題を解決するための手段】
【０００６】
本発明は、たとえば、
交流電源から交流電圧を入力されるか、または、試験電源から試験電圧を入力される入力部と、
前記入力部と画像形成に関与する交流負荷とを接続する電源ラインと、
前記電源ラインに設けられたスイッチと、
前記交流電源が交流電圧を供給しており、かつ、インターロック条件が満たされている場合に電圧の供給を停止し、前記交流電源が交流電圧を供給しており、かつ、前記インターロック条件が満たされていない場合に電圧を供給するインターロック電源と、
前記交流電源が交流電圧を供給している場合に、前記インターロック条件に依存することなく、電圧を供給する非インターロック電源と、
外部電源が接続されるインターフェースと、
前記インターロック電源からの電圧が供給されている状態で所定のスイッチオン信号により、または前記インターロック電源からの電圧が供給されていない状態で前記外部電源から動作電圧を供給されることにより、前記スイッチをＯＮにするスイッチ駆動回路と、
前記インターフェースと前記スイッチ駆動回路とを接続する第一配線パターンと、
前記非インターロック電源と接続された第二配線パターンと、
前記第一配線パターンに設けられた定電圧素子と、を有し、
前記定電圧素子は、前記第一配線パターンと前記第二配線パターンとの距離が所定の絶縁条件を満たす第一区間と、前記第一配線パターンと前記第二配線パターンとの距離が前記所定の絶縁条件を満たしていない第二区間との間に設けられていることを特徴とする画像形成装置を提供する。
【発明の効果】
【０００７】
本発明によれば、回路基板の強度を低下させることなく、耐圧試験のための配線パターンを配線することが可能となる。
【図面の簡単な説明】
【０００８】
【図１】画像形成装置を説明する断面図
【図２】交流負荷に電力を供給する電源回路を説明する図
【図３】駆動回路を説明する図
【図４】配線パターンを説明する図
【図５】駆動回路を説明する図
【図６】配線パターンを説明する図
【発明を実施するための形態】
【０００９】
［画像形成装置］
図１は中間転写方式の画像形成装置１を示している。画像形成装置１は、単色画像を形成する画像形成装置であってもよいが、ここでは複数の色剤を混色して多色画像を形成する電子写真方式の画像形成装置である。画像形成装置１は、イエロー（Ｙ）、マゼンタ（Ｍ）、シアン（Ｃ）、ブラック（ＢＫ）といった四色の現像剤を使用する。図１において参照番号の末尾には色を示す文字が付与されているが、四色に共通する事項が説明される際にはこの文字が省略される。
【００１０】
感光ドラム６Ｃ、６Ｍ、６Ｙ、６ＢＫはそれぞれ等間隔に配置され、静電潜像やトナー画像を担持する像担持体である。一次帯電器２は像担持体を一様に帯電させる帯電手段の一例である。一次帯電器２は帯電電圧を利用して感光ドラム６の表面を一様に帯電させる。走査光学装置３は像担持体の表面においてレーザ光を走査することで静電潜像を形成する走査手段の一例である。走査光学装置３は、入力画像に基づいて各々変調された光束（レーザビーム）Ｌを感光ドラム６に向けて出射する。光束Ｌは感光ドラム６の表面に静電潜像を形成する。現像器４はそれぞれ現像電圧を印加されたスリーブやブレードを通じて、シアン、マゼンダ、イエロー、ブラックの現像剤を静電潜像に付着させる。これにより静電潜像が現像され、現像剤像（トナー画像）が形成される。
【００１１】
給送ローラ８は給送トレイ７に収容されているシートＳを１枚ずつ給送する。分離ローラ９は、給送ローラ８により給送された複数のシートＳから一枚のシートＳを分離して搬送路へ送り出す。搬送ローラ１６は画像の書き出しタイミングに同期をとってシートＳを二次転写部に向けて送り出す。
【００１２】
一次転写ローラ５は、中間転写ベルト１０に対して、感光ドラム６に担持されているトナー画像を転写する。一次転写ローラ５に印加された一次転写電圧は中間転写ベルト１０へのトナー画像の転写を促進する。中間転写ベルト１０は中間転写体として機能している。駆動ローラ１１は中間転写ベルト１０を回転させるローラである。二次転写部は二次転写ローラ１４を有している。二次転写部において、中間転写ベルト１０と二次転写ローラ１４とがシートＳを挟持しながら搬送することで、中間転写ベルト１０上に担持されている多色のトナー画像がシートＳに転写される。二次転写電圧はシートＳへのトナー画像の転写を促進する。その後、シートＳは定着装置１２へ搬送される。定着装置１２はシートＳに担持されているトナー画像に対して圧力と熱を加え、定着させる。排出ローラ１３は、画像の形成されたシートＳを排出する。なお、一次転写ローラ５、中間転写ベルト１０および二次転写ローラ１４はトナー画像をシート上に転写する転写手段の一例である。定着装置１２はシート上に担持されているトナー画像を定着させる定着手段の一例である。メンテナンスドア１７は、画像形成装置１をメンテナンスする際に開かれるドアである。
【００１３】
［回路構成］
図２は電源回路を説明する図である。商用交流電源などの交流電源２０は電源プラグなどのＡＣ入力部２１に接続される。ＡＣ入力部２１と交流負荷である定着装置１２の定着ヒーター３１とはライブラインＬとニュートラルラインＮを介して接続されている。定着ヒーター３１は、ライブラインＬとニュートラルラインＮを介して、交流電源２０から供給された交流電圧を印加される。なお、ライブラインＬはホットラインとも呼ばれ、ニュートラルラインＮはコールドラインとも呼ばれることもある。
【００１４】
ライブラインＬにはリレー２２ａが接続されており、ニュートラルラインＮにはリレー２２ｂが接続されている。なお、参照符号の末尾に付与されているａ、ｂの文字は、共通事項が説明される際には、省略される。リレー２２は、駆動回路２３によって接続状態と遮断状態とを切り替えられる。駆動回路２３は、インターロック電源４１から動作電圧として電圧ＶＩＬを供給される。また、駆動回路２３は、制御部３０からリレー２２を遮断状態から接続状態に切り替えるためのＯＮ信号２４を供給される。たとえば、制御部３０は、画像形成モードにおいてＯＮ信号２４を出力し、省エネモードにおいてＯＮ信号２４の出力を停止する。なお、接続状態はＯＮ状態と呼ばれ、遮断状態はＯＦＦ状態と呼ばれてもよい。
【００１５】
制御部３０は、温度センサ３２により出力される温度検知信号３３が示す温度が目標温度に近づくように半導体スイッチ２７に制御信号２８を出力する。半導体スイッチ２７はトライアックなどである。半導体スイッチ２７は制御信号２８にしたがってＯＮ／ＯＦＦし、定着ヒーター３１に印加される電力を制御する。
【００１６】
接続部２６は、外部電源を接続されるインターフェースである。外部電源は、画像形成装置１の耐圧試験時に接続部２６に接続され、リレー２２ｂを接続状態に切り替えるための直流電圧を駆動回路２３ｂに印加する。接続部２６と駆動回路２３ｂは基板パターン２５を介して接続されている。画像形成装置１の耐圧試験時には商用交流電源の代わりに試験電源がＡＣ入力部２１とグランドとの間に接続される。ＡＣ入力部２１においてニュートラルラインＮとライブラインＬとは短絡される。耐圧試験時には電圧ＶＩＬが供給されていないため、接続部２６に接続された外部電源から供給された電圧によってリレー２２ｂが接続状態となる。
【００１７】
電源スイッチ３５はメインスイッチとも呼ばれ、ＡＣ入力部２１と、電源回路であるＡＣ／ＤＣ回路４０との間に接続されている。ＡＣ／ＤＣ回路４０は、交流電源２０から供給された交流電圧を所定の直流電圧に変換する。インターロック電源４１は、ＡＣ／ＤＣ回路４０から供給される直流電圧を電圧ＶＩＬに変換する回路である。インターロックスイッチ４３は、メンテナンスドア１７の開／閉と連動してＯＦＦ／ＯＮとなるスイッチである。つまり、メンテナンスドア１７が開いている場合、電圧ＶＩＬが駆動回路２３に供給されず、メンテナンスドア１７が閉じている場合、電圧ＶＩＬが駆動回路２３に供給される。インターロックスイッチ４３はインターロック電源４１の内部に設けられていてもよいし、ＡＣ／ＤＣ回路４０とインターロック電源４１との間に設けられていてもよい。非インターロック電源４２は、ＡＣ／ＤＣ回路４０から供給される直流電圧を電圧Ｖｃｃに変換する回路である。非インターロック電源４２は、メンテナンスドア１７の開／閉に依存せずに、制御部３０などに電圧Ｖｃｃを供給する。
【００１８】
橋落抵抗は削除されているため、図４において橋落抵抗は示されていない。一般に橋落抵抗の一端はニュートラルラインＮのうち、ＡＣ入力部２１とリレー２２ｂとの間に接続される。橋落抵抗の他端はライブラインＬのうち、リレー２２ａと定着ヒーター３１との間に接続されていた。
【００１９】
＜配線パターン＞
図３は図２に示す枠５０内の回路を示す回路図である。駆動回路２３ｂは、インターロック電源４１から供給される電圧ＶＩＬを使用して動作する。駆動回路２３ｂは、リレー２２ｂのコイルＬ１に駆動電流を流すことでリレー２２ｂをＯＮに切り替える。駆動電流は、ｎｐｎトランジスタＱ１とｐｎｐトランジスタＱ２とによって制御される。トランジスタＱ１のベースには電流制限用の抵抗Ｒ１が接続されている。トランジスタＱ１のベースとエミッタとの間にも電流制限用の抵抗Ｒ２が接続されている。トランジスタＱ１のエミッタは接地されている。トランジスタＱ２のエミッタには電圧ＶＩＬが印加される。トランジスタＱ２のベースには電流制限用の抵抗Ｒ３が接続されている。抵抗Ｒ３はトランジスタＱ１のコレクタに接続されている。トランジスタＱ２のベースとエミッタとの間にも電流制限用の抵抗Ｒ４が接続されている。トランジスタＱ２のコレクタはダイオードＤ２を介してリレー２２ｂのコイルＬ１の一端に接続されている。コイルＬ１の他端は接地されている。
【００２０】
制御部３０から抵抗Ｒ１を介してベースに入力されるＯＮ信号２４ｂがＨｉｇｈになると、トランジスタＱ１がＯＮし、トランジスタＱ２もＯＮする。さらに、トランジスタＱ２がＯＮすることでリレー２２ｂがＯＮする。ＯＮ信号２４ｂがＬｏｗになると、リレー２２ｂがＯＦＦする。リレー２２ｂがＯＮからＯＦＦに変化することにより、コイルＬ１に逆起電力が発生する。そこで、コイルＬ１に発生した逆起電力に伴う電流を流すために、回生ダイオードＤ１がコイルＬ１に並列に接続されている。
【００２１】
耐圧試験時には、電圧ＶＩＬは生成されていない。そのため、電圧ＶＩＬの代わりに、リレー２２ｂをＯＮにする電圧Ｖｔｅｓｔが必要となる。つまり、耐圧試験時には、外部電源９０が接続部２６の入力端子５１に電圧Ｖｔｅｓｔを印加する。入力端子５１はツェナーダイオードＺＤのカソードに接続されている。ツェナーダイオードＺＤのアノードは、基板パターン２５を介して、ダイオードＤ２のカソードとコイルＬ１の一端とに接続されている。基板パターン２５を介して印加された電圧Ｖｔｅｓｔによってリレー２２ｂがＯＮする。ダイオードＤ２は、耐圧試験時に外部電源９０から印加された電圧Ｖｔｅｓｔがインターロック電源４１に回り込むことを防止する規制素子である。
【００２２】
図４は基板パターン（配線パターン）を説明する図である。図４において太い点線Ｊ１〜Ｊ４はジャンパー線を表している。パターンＰ１はインターロック電源４１に接続された基板パターンである。パターンＰ２、Ｐ４は非インターロック電源４２に接続された基板パターンである。パターンＰ３はＯＮ信号２４ｂを搬送する基板パターンである。パターンＰ５はグランド電位に接続された基板パターンである。
【００２３】
抵抗Ｒ１はランド６１に接続される。抵抗Ｒ２はランド６２に接続される。トランジスタＱ１はランド６３に接続される。抵抗Ｒ３はランド６４に接続される。抵抗Ｒ４はランド６５に接続される。トランジスタＱ２はランド６６に接続される。ダイオードＤ２はランド６７に接続される。ツェナーダイオードＺＤはランド６９に接続される。回生ダイオードＤ１はランド６８に接続される。
【００２４】
基板パターン２５は、ツェナーダイオードＺＤのアノードとリレー２２ｂとを接続する第一区間７１と、ツェナーダイオードＺＤのカソードと入力端子５１とを接続する第二区間７２とを有している。接続部２６付近に存在する第二区間７２では、非インターロック電源４２のためのパターンＰ２と基板パターン２５との間の距離が所定の絶縁距離（例：１ｍｍ）未満となっている。第一区間７１では、非インターロック電源４２のためのパターンＰ４と基板パターン２５との間の距離が所定の絶縁距離（例：１ｍｍ）以上となっている。ツェナーダイオードＺＤは、基板パターン２５における第一区間７１と第二区間７２との間に接続されている。より具体的には、ツェナーダイオードＺＤのアノードは第一区間７１側のランドに接続され、ツェナーダイオードＺＤのカソードは第二区間７２側のランドに接続されている。仮に、第二区間７２においてパターンＰ２またはＰ４と基板パターン２５とが短絡した場合、非インターロック電源４２の電圧Ｖｃｃが基板パターン２５に印加されてしまう。ツェナーダイオードＺＤが無ければ、電圧Ｖｃｃがリレー２２ｂをＯＮしてしまうだろう。本実施例では、電圧ＶｃｃがコイルＬ１に印加されることをツェナーダイオードＺＤが抑制するため、リレー２２ｂがＯＦＦに維持される。
【００２５】
ツェナーダイオードＺＤの定電圧（降伏電圧）Ｖｚｄ１は次式を満たすように選択される。
Ｖｚｄ１  ＞＝  Ｖｃｃ  −  Ｖｒｌ＿ｏｆｆ  ・・・（１）
ここでＶｒｌ＿ｏｆｆはリレー２２ｂのＯＦＦ電圧（復帰電圧）である。たとえば、Ｖｃｃ＝１２Ｖであり、Ｖｒｌ＿ｏｆｆ＝１Ｖである場合、Ｖｚｄ１は１１Ｖ以上の値に設定される。外部電源９０の電圧Ｖｔｅｓｔは次式を満たすように選択される。
Ｖｔｅｓｔ  ＞  Ｖｚｄ１  ＋  Ｖｒｌ＿ｏｎ    ・・・（１）
ここでＶｒｌ＿ｏｎはリレー２２ｂのＯＮ電圧である。たとえば、Ｖｚｄ１＝１１Ｖであり、Ｖｒｌ＿ｏｎ＝８Ｖである場合、Ｖｔｅｓｔは１９Ｖ以上となるように設定される。
【００２６】
＜変形例＞
図３および図４では単一のツェナーダイオードＺＤが採用されているが、複数のツェナーダイオードが採用されてもよい。図５が示すように、入力端子５１はツェナーダイオードＺＤ１のカソードに接続されている。ツェナーダイオードＺＤ１のアノードは、ツェナーダイオードＺＤ２のカソードに接続されている。ツェナーダイオードＺＤ２のアノードは、基板パターン２５を介して、ダイオードＤ２のカソードとコイルＬ１の一端とに接続されている。このように、ツェナーダイオードＺＤ１、ＺＤ２は直列に接続されている。
【００２７】
図６が示すように、ツェナーダイオードＺＤ１はランド６９ａに接続される。ツェナーダイオードＺＤ２はランド６９ｂに接続される。ツェナーダイオードＺＤ２のアノードは第一区間７１に接続される。ツェナーダイオードＺＤ１のカソードは第二区間７２に接続される。
【００２８】
ここで、ツェナーダイオードＺＤ１の定電圧Ｖｚｄ２とツェナーダイオードＺＤ２の定電圧Ｖｚｄ３との和は、上述されたＶｚｄ１となるように選択される。コスト削減の観点からツェナーダイオードＺＤ１、ＺＤ１として同一仕様の素子が採用されてもよい。この場合、Ｖｚｄ２＝Ｖｚｄ３となる。
【００２９】
＜まとめ＞
図２などが示すように、ＡＣ入力部２１は交流電源２０から交流電圧を入力されるか、または、試験電源から試験電圧を入力される入力部の一例である。ライブラインＬとニュートラルラインＮは入力部と画像形成に関与する交流負荷とを接続する電源ラインの一例である。リレー２２ｂは電源ラインに設けられたスイッチの一例である。インターロック電源４１は交流電源２０が交流電圧を供給しており、かつ、インターロック条件が満たされている場合に電圧の供給を停止する。インターロック条件は、メンテナンスドア１７が開いていることであってもよい。インターロック電源４１は交流電源２０が交流電圧を供給しており、かつ、インターロック条件が満たされていない場合に電圧を供給する。非インターロック電源４２は交流電源２０が交流電圧を供給している場合に、インターロック条件に依存することなく、電圧を供給する。駆動回路２３ｂはインターロック電源４１からの電圧が供給されている状態で所定のスイッチオン信号によりスイッチをＯＮにするスイッチ駆動回路の一例である。また、駆動回路２３ｂはインターロック電源４１からの電圧が供給されていない状態で外部電源から動作電圧を供給されることにより、スイッチをＯＮにするスイッチ駆動回路の一例である。接続部２６は外部電源９０に接続されるインターフェースの一例である。基板パターン２５はインターフェース（接続部２６）と制御回路とを接続する第一配線パターンの例である。配線パターンＰ２、Ｐ４は非インターロック電源４２と接続された第二配線パターンの一例である。ツェナーダイオードＺＤ、ＺＤ１、ＺＤ２は、第一配線パターンに設けられた定電圧素子の一例である。図４や図６が示すように、定電圧素子は、第一区間７１と第二区間７２との間に設けられている。第一区間７１は第一配線パターンと第二配線パターンとの距離が所定の絶縁条件を満たいている区間である。第二区間７２は第一配線パターンと第二配線パターンとの距離が所定の絶縁条件を満たしていない区間である。このように定電圧素子を配置することで、第二配線パターンから第一配線パターンに印加された電圧Ｖｃｃがスイッチを作動させてしまうことを阻止することが可能となる。また、定電圧素子を配置することで、第二配線パターンと第一配線パターンとの間にはスリットが不要となる。したがって、回路基板の強度が低下しにくくなり、半田クラックも生じにくくなろう。このように、本実施例によれば、回路基板の強度を低下させずに、耐圧試験のためにリレー２２ｂをＯＮにする配線パターンを配線することが可能となる。
【００３０】
定電圧素子は、たとえば、定電圧ダイオードであってもよい。定電圧ダイオードはツェナーダイオードであってもよい。ツェナーダイオードは、市場において入手しやすいため、本実施例の採用が容易となろう。ツェナーダイオードのアノードは第一配線パターンの第一区間７１に接続されており、ツェナーダイオードのカソードは第一配線パターンの第二区間７２に接続される。ツェナーダイオードは降伏電圧以上となる逆方向電圧が印加されるまで電流を流さない。この特性を利用して、電圧Ｖｃｃがスイッチを作動させてしまうことを阻止することが可能となる。
【００３１】
図５、図６が示すように、定電圧素子は、直列に接続された複数の定電圧ダイオードであってもよい。複数の定電圧ダイオードは、複数のツェナーダイオードであってもよい。たとえば、ツェナーダイオードＺＤの降伏電圧は、ツェナーダイオードＺＤ１、ＺＤ２の個々の降伏電圧より高い。そのため、ツェナーダイオードＺＤは、ツェナーダイオードＺＤ１、ＺＤ２と比較して、市場において入手しにくいことがある。よって、より入手しやすい複数の定電圧ダイオードが採用されてもよい。図５、図６が示すように、複数のツェナーダイオードのうち第一ツェナーダイオードのアノードは第一配線パターンの第一区間７１に接続される。複数のツェナーダイオードのうち第二ツェナーダイオードのカソードは第一配線パターンの第二区間７２に接続される。第一ツェナーダイオードのカソードは第二ツェナーダイオードのアノードに接続される。
【００３２】
画像形成装置１の耐圧試験の際には、入力部に交流電源２０は接続されずに、試験電源が接続され、かつ、インターフェース（接続部２６）に外部電源９０が接続される。外部電源９０から供給される電圧Ｖｔｅｓｔは、定電圧素子により実現される定電圧（例：Ｖｚｄ１）とスイッチをＯＮにするために必要となる動作電圧（例：Ｖｒ１_ｏｎ）との和以上である。これにより、電圧ＶｔｅｓｔによりスイッチをＯＮにすることが可能となる。
【００３３】
定電圧素子の定電圧（例:Ｖｚｄ）は、第二配線パターンに印加されている電圧（例：Ｖｃｃ）が第一配線パターンに印加されたとしてもスイッチがＯＮにならない電圧である。これにより、第一配線パターンと第二配線パターンとが短絡しても、スイッチがＯＮになることが阻止される。
【００３４】
第二配線パターンに印加されている電圧と定電圧素子の定電圧との差はスイッチをＯＦＦにするために必要となる電圧（例：Ｖｒ１＿ｏｆｆ）よりも低くい。外部電源９０から供給される電圧Ｖｔｅｓｔと定電圧素子の定電圧（例：Ｖｚｄ１）との差はスイッチをＯＮにするために必要となる電圧以上である。これにより、第一配線パターンと第二配線パターンとの短絡の影響を低減しつつ、耐圧試験を円滑に実行可能となる。
【００３５】
スイッチは、たとえば、リレー２２ｂであってもよいし、リレー２２ｂと同等の機能を有した半導体スイッチであってもよい。このような半導体スイッチとしては、たとえは、フォトカプラなどがある。
【００３６】
交流負荷は、定着装置１２のヒーターであってもよい。定着装置１２のヒーターには商用交流電源から供給された交流電圧が印加されるため、安全規格上の強化絶縁が確保されなければならない。耐圧試験は、人間の手の模型を用いて実行される。安全規格が改訂されると、手の模型が変更されることがある。たとえば、模型のサイズが小型化されたり、模型に関節が追加されたりする。このような改訂された模型（例：指）は、従来よりも、交流負荷に対して接近可能となる。橋落抵抗を削除することで、人間の手と交流負荷や交流電源との間に強化絶縁が確保可能となる。しかし、橋落抵抗が削除されると、外部電源９０によりリレー２２ｂを動作させることが必要となる。つまり、基板パターン２５が必要となり、上述した短絡対策が必要となる。
【００３７】
ダイオードＤ２は、外部電源９０から供給された動作電圧がインターロック電源４１に印加されることを規制する規制素子として機能する。これにより、電圧Ｖｔｅｓｔがインターロック電源４１に印加されにくくなる。
【００３８】
ＡＣ入力部２１は交流電源から交流電圧を入力されるか、または、試験電源から試験電圧を入力される入力手段として機能する。ライブラインＬとニュートラルラインＮは入力手段と画像形成に関与する交流負荷とを接続する電源ラインとして機能する。リレー２２ｂは電源ラインに設けられ、入力手段と交流負荷とを接続する接続状態と、入力手段と交流負荷とを遮断する遮断状態とを切り替える切替手段として機能する。インターロック電源４１が第一電源として機能する。非インターロック電源４２は第二電源として機能する。駆動回路２３ｂは第一電源または外部電源９０から動作電圧を供給されているときに切替手段を接続状態にするスイッチ駆動手段として機能する。接続部２６は外部電源９０に接続される接続手段として機能する。基板パターン２５は接続手段とスイッチ駆動手段とを接続する第一配線として機能する。パターンＰ２，Ｐ４は第二電源と接続された第二配線として機能する。ツェナーダイオードＺＤ、ＺＤ１、ＺＤ２は第一配線に設けられた定電圧手段として機能する。定電圧手段は、第一配線と第二配線との距離が所定の絶縁条件を満たす第一区間と、第一配線と第二配線との距離が所定の絶縁条件を満たしていない第二区間との間に設けられる。
【符号の説明】
【００３９】
１...画像形成装置、２１...ＡＣ入力部、Ｌ...ライブライン、Ｎ...ニュートラルライン、２２ｂ...リレー、２３ｂ...駆動回路、４１...インターロック電源、４２...非インターロック電源、ＺＤ...ツェナーダイオード
【図１】
2020106624.tif 000003
【図２】
2020106624.tif 000004
【図３】
2020106624.tif 000005
【図４】
2020106624.tif 000006
【図５】
2020106624.tif 000007
【図６】
2020106624.tif 000008